(57)【特許請求の範囲】
【請求項１】
壁や台に穿設された取付穴に合わせて配置する固定台座と、裏面側に位置させる固定部材とを、可とう性を持つ連結部材によって仮の固定を行なう固定装置であって、前記固定部材は、その２箇所に前記連結部材を挿通するための挿通口を有すると共に長辺と短辺を持ち、その姿勢によって取付面の表面側からの取付穴通過を可能とし、且つ裏面に配された状態では取付穴廻りの裏面に当接する形状を持つもので、これと前記固定台座により取付面を挟持してなる固定装置において、
前記固定部材にある２つの挿通口を結ぶ線が、前記固定部材の短辺若しくは長辺に対し垂直であり、
前記固定台座には前記固定部材にある２つの前記挿通口に対応する２つの挿通口を設け、前記連結部材の一端には、前記固定台座に設けられた一方の挿通口に留止される止め部を備え、しかもこの止め部にはワンウェーロック機構を有し、前記連結部材の他端には前記ワンウェーロック機構と対応した加工が施され、前記連結部材の他端が前記固定部材の２箇所の挿通口に挿通された後に前記固定台座の他方の挿通口に挿通された状態で仮固定が可能であることを特徴とする固定装置。
【請求項２】
前記固定部材にある、連結部材を挿通するための挿通口は、それぞれを結ぶ線が垂直となる辺に対して長く、平行となる辺に対して短く開口されることを特徴とする請求項１に記載の固定装置。
【発明の詳細な説明】
【０００１】
【発明の属する技術分野】
本発明は水栓の固定装置に関するものである。
【０００２】
【従来の技術】
従来の水栓金具などの固定は、ナットを裏面側から締め上げ、水栓底面とナットに保持される固定具により取付面を挟持して固定を行うのが一般的である。しかし、水栓金具などの取付裏面側は作業スペースが確保できない場合が多く、作業者に要求された施工が満足できない危険性があった。
【０００３】
上記問題を解決するために、図８、図９に示すような、実開昭５９−２５７７７号などに、取付面表面側のみで固定可能な一例が示されているが、これを用いた場合、取付面裏側にまわる固定部材が安定せずに、作業性が悪いものとなっていた。
【０００４】
また、長辺と短辺を有する固定部材を用いる場合、固定部に設置する水栓などの正面が長辺と平行に設置されてしまうと、水栓などへ正面からの力加わった場合、力に対する耐力が弱くなってしまうという恐れがあった。
【０００５】
【発明が解決しようとする課題】
本発明は、仮止めの時点で固定方向を定め、加えて取付面の表面側と裏面側にある水栓などの取付用貫通穴の軸合わせが容易にできるようにすることを目的とする。また、同時に作業後には不必要となる連結部材を撤去できる構造を提供することも目的とする。
【０００６】
【課題を解決するための手段】
本発明の請求項１では、壁や台に穿設された取付穴に合わせて配置する固定台座と、裏面側に位置させる固定部材とを、可とう性を持つ連結部材によって仮の固定を行なう固定装置であって、前記固定部材は、その２箇所に前記連結部材を挿通するための挿通口を有すると共に長辺と短辺を持ち、その姿勢によって取付面の表面側からの取付穴通過を可能とし、且つ裏面に配された状態では取付穴廻りの裏面に当接する形状を持つもので、これと前記固定台座により取付面を挟持してなる固定装置において、
前記固定部材にある２つの挿通口を結ぶ線が、前記固定部材の短辺若しくは長辺に対し垂直であり、
前記固定台座には前記固定部材にある２つの前記挿通口に対応する２つの挿通口を設け、前記連結部材の一端には、前記固定台座に設けられた一方の挿通口に留止される止め部を備え、しかもこの止め部にはワンウェーロック機構を有し、前記連結部材の他端には前記ワンウェーロック機構と対応した加工が施され、前記連結部材の他端が前記固定部材の２箇所の挿通口に挿通された後に前記固定台座の他方の挿通口に挿通された状態で仮固定が可能であるものとしている。
【０００９】
前記連結部材がワンウェーロック構造により引張された状態で、取付穴外周に対して固定位置決めのガイドをなすこととしてもよい。
【００１０】
請求項２は前記固定部材にある、連結部材を挿通するための挿通口は、それぞれを結ぶ線が垂直となる辺に対して長く、平行となる辺に対して短く開口されることとしている。
【００１１】
【発明の実施の形態】
以下、発明の実施の形態を添付図面に基づいて説明する。図１から図４に本発明の第１実施例を示す。図１は本発明の固定装置の断面図、図２は仮固定の様子を示す斜視図、図３は取付面の裏面に配される固定部材と、そこにある連結部材を挿通する穴の位置関係を示した平面図、図４は連結部材の斜視図を示す。
【００１２】
図１は、本発明を用いて水栓金具を取付けた一例を示す。取付面表面１には取付穴２が穿設されており、取付穴２の外周に被蓋当接させた固定台座４を配する。取付面裏面３には、前記固定台座４と、連結部材７の止め部８が抜けない程度の挿通口６を持つ固定部材５が、前記連結部材７によって保持されており、取付面表面１側より、連結部材７の余剰部分を引張りあげることにより、前記固定台座４を取付面裏面３に当接させる。このとき、連結部材７の止め部８のない他端には、ワンウェーロック構造９が配されており、引き上げた固定部材５が取付裏面３で安定する構造としている。この状態において、固定台座４と固定部材５をねじなどの締結部材１０による強固な固定を行い、固定台座４と水栓本体１１にのそれぞれに用意された接合部によって、接合することにより、水栓などの固定をなすことができる。なお、連結部材７を引き上げた際に出る余剰部分については、これを切りとってもよい。
【００１３】
図２は、本発明の固定構造を用いる際の、特に仮固定の様子を示す斜視図である。取付面表面１に空けられた取付穴２に対して、連結部材７によって保持されている固定部材５は、その短辺側から取付穴２に挿入することにより、取付面裏面３側に配することができるようになる。固定部材５の長辺側は、取付穴２の直径より大きく構成されているため、取付面裏面３側に移動し、平衡状態となった場合、固定部材５は取付面表面１側に戻ってくることがない。本例では、この固定部材５と固定座金４によりカウンタ１２を挟持することで水栓本体１１の固定を行っている。
【００１４】
図３は取付面の裏面に配される固定部材５と、そこにある、連結部材７を挿通する挿通口６の位置関係を示している。
【００１５】
本例によれば、２つの挿通口６の中心を結ぶ線は、短辺に対して垂直になるように配されており、ここを貫通して取付面表面１側に伸びるそれぞれ２本の連結部材７の位置関係によって、この固定部材５が取付面裏面３側でどのような状態にあるかを確認することができる構造となっている。
【００１６】
これは連結部材７が図４に示す様な板状であった場合の例を示しており、固定部材５の長辺方向に対しては短く、短辺方向に対しては長い挿通口６を配することで、固定部材５の短辺方向を下にして傾けることはできても、連結部材７に垂直な面に対して回転させることはできない構造となる。
【００１７】
図５から図７は本発明の第２実施例を示す。図５は本発明の固定装置を示す断面図、図６は連結部材の断面図、図７は連結部材の要部の斜視図である。本実施例では連結部材７の、ワンウェーロック構造を兼用した止め部８を、固定台座４に空けられた挿通口１３に留止させた例を示す。連結部材７の一端が取付面表面１側にあり、他端は固定部材５の２つの挿通口６を貫通し、固定台座４に空けられた他の挿通口１４から出る。このとき、前記止め部８と挿通口１４からでた連結部材７の他端には、ワンウェーロック機構に対応した加工がなされており、それぞれを組み合わせることで、仮固定ができるような構造としている。
【００１８】
この固定方法では、連結部材７を図６、図７で示す様な構造とし、ねじなどの締結部材１０によって本固定がなされた後、ワンウェーロック機構を解除して、連結部材７を抜き取る構成としてもよい。なお、ここでは固定部材５が取付面裏面３側にて更に安定されるために、固定台座４側にガイドピン１５を立てた例を示している。このガイドピン１５は同時に、取付穴２外周に対して、固定位置決めのガイドとしても働く。
【００１９】
【発明の効果】
本発明によれば、固定部材を取付面表面側から連結部材を介して取付面裏面に吊り下げて配する固定方法の場合において、固定部材に設けられる連結部材の挿通口を、一定の規則で配することにより、固定台座を貫通し、取付面表面側に出る連結部材の向きによって、取付面裏面側にある固定部材の長辺と短辺の向きを、取付面表面側より判断できるようになる。これにより、特に力が加わる方向が予想される場合においても、取付面裏面側に配される固定部材の向きを、取付面表側から調整する事ができるようになる。
【００２０】
また、連結部材の止め部からみた他端に、一方向のみに動くワンウェイロック機構を有することにより、仮固定といえども、表面側に配される固定台座と裏面側に配される固定部材によってしっかり取付面を挟み込めるようにため、取付面裏面側に配される固定部材と取付面表面側とを締結部材によって本固定する場合に、締結部材の軸芯合わせが容易とすることができるようになる。
【００２１】
さらに、連結部材を引張した状態で、取付穴外周に対して個定位置決めのガイドとなすことで、取付面に固定される、例えば水栓などの固定位置のばらつきをおさえることができるようになる。
【００２２】
さらに、連結部材を挿通するための挿通口は、それぞれを結ぶ線が垂直となる辺に対して長く、平行となる辺に対して短く開口されることで、短辺方向を下にして傾けることはできても、連結部材に垂直な面で回転させることはできなくなり、取付面裏面側で固定部材が不安定な姿勢とならないようにすることができる。
【図面の簡単な説明】
【図１】本発明の第１実施例の固定装置の断面図である。
【図２】仮固定の様子を示す斜視図である。
【図３】固定部材の平面図である。
【図４】連結部材の斜視図である。
【図５】本発明の第２実施例の固定装置の断面図である。
【図６】連結部材の断面図である。
【図７】連結部材の要部の斜視図である。
【図８】従来の固定部材挿入時の斜視図である。
【図９】従来例を示す断面図である。
【符号の説明】
１…取付面表面
２…取付穴
３…取付面裏面
４…固定台座
５…固定部材
６…挿通口
７…連結部材
８…止め部
９…ワンウェーロック構造
１０…締結部材
１１…水栓本体
１２…カウンタ
１３…固定台座に設けられた挿通口
１４…固定台座に設けられた他の挿通口
１５…ガイドピン
【図１】
0004114268.tif 000002
【図２】
0004114268.tif 000003
【図３】
0004114268.tif 000004
【図４】
0004114268.tif 000005
【図５】
0004114268.tif 000006
【図６】
0004114268.tif 000007
【図７】
0004114268.tif 000008
【図８】
0004114268.tif 000009
【図９】
0004114268.tif 000010